(57)【特許請求の範囲】
【請求項１】
原動機によって駆動される車輪を備える車体に、下部に肥料散布機構を設けた肥料ホッパーを搭載し、車体後部にハンドルを設けた自走式肥料散布機において、
上記肥料ホッパーの下部、且つ上記肥料散布機構より上側に漏斗状のホッパー受けを配設し、上記ホッパー受けの内部にホッパー受け内の肥料を撹拌し粉砕する垂直方向に回転する撹拌羽根を設け、上記撹拌羽根の回転軸を、上記ホッパー受けの内部を横断するように設けると共に、上記ホッパー受けの外側で上記回転軸端部に動力伝達機構を連結し、上記原動機の出力部と上記動力伝達機構とを動力伝達手段で巻装してなることを特徴とする自走式肥料散布機。
【請求項２】
上記肥料散布機構は、上記ホッパー受けの下部に連通する肥料流下口と、該肥料流下口の開口量を調整する調整シャッターと、肥料の流下を流通・遮断する開閉シャッターとを備えており、上記開閉シャッターが上記調節シャッターより下側に位置するように構成することを特徴とする請求項１記載の自走式肥料散布機。
【発明の詳細な説明】
【０００１】
【産業上の利用分野】
本発明は、茶園等の畝間に肥料を散布する自走式の肥料散布機に関する。
【０００２】
【従来の技術】
従来の自走式肥料散布機としては、実開平４−２２１０号公報が知られている。この従来例を図３によって説明すると、車体１には前輪２および後輪３を軸支し、この車体１に、その後部に位置して肥料を収容する肥料ホッパ４を搭載し、また本体後部上端に後方に向け突出するハンドル５を設けている。
そして上記前輪２上方の肥料ホッパ４前側で、肥料ホッパ４より低い位置にエンジン６が搭載され、このエンジン６の側方に減速機７が設けられると共に、この減速機７と前輪２との間には伝動系１０が設けられている。この伝動系１０にはテンションクラッチ機構１１が設けられ、ワイヤ１２を介してハンドル５に設けたクラッチレバー１３に連繋されている。また、肥料ホッパ４下部の肥料流下路１４には、シャッタ機構１５が設けられている。
【０００３】
このシャッタ機構１５には、流下路１４に対して前方が高く後方が低くなるよう斜めに配置された差込式の開閉板１６が前後方向に摺動可能に設けられ、この開閉板１６には長さ方向中間位置に流下路１４の流下口内径とほぼ同径の孔が穿設されており、開閉板１６を摺動することにより流下路１４に対する開閉板１６の孔の開口面積が変化して肥料の流下量が変わり、これによって肥料流下量の調節を行っている。また、開閉板１６の摺動操作は、ハンドル５のグリップ部５ａに設けたシャッタレバー２２を操作することにワイヤ２１を介して行うようにしている。
【０００４】
また、上記肥料流下路１４の下方に設けた肥料散布機構９は、車体１に固定された伝動ボックス２３の上側に散布回転板２４を取付け、その上側に飛散ガイド２５を設け、散布回転板２４と同軸にシャッタ機構１５の下方の肥料流下路１４内に撹拌体２６を設けている。そして、上記前輪２と伝動ボックス２３との間にベルト伝動系２７が設けられ、散布回転板２４および撹拌体２６を回転駆動するようになっている。上記後輪３にはスタンド２８が設けられ、また、ハンドル５のシャッタレバー２２を設けた側には、エンジン６のスロットルレバー２９が設けられている。
【０００５】
【発明が解決しようとする課題】
しかしながら、従来の自走式肥料散布機の場合、走行による振動等で肥料ホッパー内の肥料が締固められ、肥料ホッパー内，特に肥料ホッパの下部にて、肥料が塊状になってしまい、適正に散布できない問題点が派生する。
【０００６】
また、肥料の自重が肥料散布機構の開閉板に直接作用しているため、開閉板のスライドに大きな摩擦を生じ、開閉操作をするクラッチが重くなってしまい、作業者に負担をかけるという問題点が派生する。
【０００７】
本発明は上述の事情に対処するために提案されたものであって、肥料ホッパ内の肥料が塊状にならないようにして、しかも操作性の良好なシャッタ機構を備える自走式肥料散布機を提供することを目的とするものである。
【０００８】
【課題を解決するための手段】
上記目的を達成するために、本発明による自走式肥料散布機は、原動機によって駆動される車輪を備える車体に、下部に肥料散布機構を設けた肥料ホッパーを搭載し、車体後部にハンドルを設けた自走式肥料散布機において、
上記肥料ホッパーの下部、且つ上記肥料散布機構より上側に漏斗状のホッパー受けを配設し、上記ホッパー受けの内部にホッパー受け内の肥料を撹拌し粉砕する垂直方向に回転する撹拌羽根を設け、上記撹拌羽根の回転軸を、上記ホッパー受けの内部を横断するように設けると共に、上記ホッパー受けの外側で上記回転軸端部に動力伝達機構を連結し、上記原動機の出力部と上記動力伝達機構とを動力伝達手段で巻装してなることを特徴とするものである。
【０００９】
また、上記肥料散布機構は、上記ホッパー受けの下部に連通する肥料流下口と、該肥料流下口の開口量を調整する調整シャッターと、肥料の流下を流通・遮断する開閉シャッターとを備えており、上記開閉シャッターが上記調節シャッターより下側に位置するように構成することを特徴とするものである。
【００１１】
【作用】
上記構成によると、肥料ホッパーの下部に配設された漏斗状のホッパー受けは小容積に形成されていると共に、この小容積のホッパー受けの内部には、車輪を駆動させる原動機から動力を伝達されて回転駆動する回転軸がホッパー受けの内部を横断するようにして設けられていると共に、この横方向の回転軸には比較的小さい撹拌羽根が設けられている。これにより、小さな撹拌羽根により小容積のホッパー受けの内部を流下する塊状の肥料を効率よく撹拌し粉砕して下方に送り出すことができて、動力の消費を抑えながら適正に肥料を散布することができるようになる。
【００１２】
また請求項２記載の自走式肥料散布機においては、開閉シャッターが調整シャッターより下側に位置するように構成しているため、肥料の自重が開閉シャッターに直接作用しなくなるため、肥料によって開閉シャッターの動きが阻害されてなくなり、開閉シャッターの作動がスムーズになる。
【００１４】
【実施例】
以下、本発明の実施例を図面を参照して説明する。
図１は本発明の一実施例に係る自走式肥料散布機の全体を示す側面図である。原動機３から減速機４を介して駆動される前輪２を備える車体１に、下部に肥料散布機構を設けた肥料ホッパ５を搭載すると共に、車体１の後部にハンドル６を設け、上記ハンドル６のハンドルグリップ部に設けられたシャッタレバー６１を操作することによって後に詳しく説明する肥料散布機構７の開閉シャッタを操作するようにしている。
【００１５】
図２は前記肥料散布機構７及び肥料ホッパー５の分解斜視図である。
図に示すように、肥料ホッパー５は逆円錐形に形成されており、該ホッパー５の下部には、肥料撹拌棒５１及び肥料散布機構７が設けられている。
前記肥料撹拌棒５１は、ホッパー５の下部に配設されている漏斗状のホッパー受け５２を水平に横断するように回転軸５１ａが軸支されており、該回転軸５１ａの垂直方向に突出する撹拌羽根５１ｂが固着されている。また、前記回転軸５１ａの一端側には、前記ホッパー受け５２の外側でスプロケット５３が連結されている。
【００１６】
また、肥料散布機構７は、肥料ホッパー５の下部に鉛直に設けられる肥料流下口７１と、前記肥料流下口７１の開口量を調整する調節シャッター７２と、肥料の流通・遮断をする開閉シャッター７３と、車体１に連結されていて前記開閉シャッター７３をスライド可能に支持する下板７４と、流下する肥料を均等に散布する肥料散布板７５とで構成されている。
前記肥料流下口７１には、長孔７１ａが形成されており、前記調節シャッター７２はネジ７６で前記肥料流下口７１に連結されている。そしてネジ７６を前記長孔７１ａに沿って位置決めすることで前記肥料流下口７１の開口量を調整するように構成されている。
また、前記開閉シャッター７３はバネ７７によって常に閉方向（図面上右方向）に付勢されており、前記シャッターレバー６１を操作することでワイヤ７８で引っ張られ開方向にスライドするように構成されている。
【００１７】
また図１において、前記原動機３からの動力は減速機４を介して出力回転軸４１に伝達される。そして、該出力回転軸４１には、スプロケット４２が連結されており、該スプロケット４２と，前記前輪２の回転軸に設けられたスプロケット２１とにはチェン４３が巻装されていて出力回転軸４１からの回転動力を減速して前輪２に伝達するように構成されている。さらに、前記スプロケット４２と，前記肥料撹拌棒５１に設けられたスプロケット５３とにもチェン４４が巻装されており、出力回転軸４１からの回転動力を減速して肥料撹拌棒５１に伝達するように構成されている。
【００１８】
次に、上述のように構成される自走式肥料散布機の作業形態について説明する。
まずホッパー５内に肥料を投入し、原動機３を駆動させて、作業者はハンドル６を持って自走式肥料散布機を茶畝間で走行させる。この際、原動機３からの動力は、減速機４を介して出力回転軸４１に伝達され、スプロケット２１，５３を介してそれぞれ減速して前輪２及び肥料撹拌棒５１に動力伝達される。
この際、ホッパー内下部にある肥料は、前記肥料撹拌棒５１の回転によってほぐされ、適正な状態で肥料流下口７１に流下していく。
また、肥料流下口７１に流下した肥料は、調節シャッター７２に当接するようになる。そのため、開閉シャッター７３には直接当接しないため、肥料の自重が開閉シャッター７３に直接作用しなくなるため、肥料によって開閉シャッター７３の動きが阻害されなくなり、開閉シャッター７３の作動がスムーズになる。
【００１９】
そして作業者は、自走式肥料散布機を自走させながら、肥料を散布する場所では、シャッターレバー６１を握って開閉シャッター７３を開いて肥料を散布させ、畝間の旋回等で、肥料散布が必要でない時はシャッターレバー６１を放せば、前記開閉シャッター７３は、バネ７７の付勢力により自動的に閉方向にスライドし、肥料の散布を止めることができる。
【００２０】
尚、上記実施例にて説明した肥料散布機構７は、自走式肥料散布機のみならず、自走式肥料中耕機のような、他の茶園管理機にも応用することができる。
【００２１】
【発明の効果】
以上説明したように本発明によると、肥料ホッパーの下部に配設された漏斗状のホッパー受けは小容積に形成されていると共に、この小容積のホッパー受けの内部には、車輪を駆動させる原動機から動力を伝達されて回転駆動する回転軸がホッパー受けの内部を横断するようにして設けられていると共に、この横方向の回転軸には比較的小さい撹拌羽根が設けられている。これにより、小さな撹拌羽根により小容積のホッパー受けの内部を流下する塊状の肥料を効率よく撹拌し粉砕して下方に送り出すことができて、動力の消費を抑えながら適正に肥料を散布することができるようになる。
【００２２】
また請求項２記載の自走式肥料散布機においては、開閉シャッターが調整シャッターより下側に位置するように構成しているため、肥料の自重が開閉シャッターに直接作用しなくなるため、肥料によって開閉シャッターの動きが阻害されてなくなり、開閉シャッターの作動がスムーズになる。
【図面の簡単な説明】
【図１】本発明の一実施例に係る自走式肥料散布機の全体を示す側面図である。
【図２】本発明の自走式肥料散布機における肥料散布機構を示す説明図である。
【図３】従来の自走式肥料散布機におけるシャッタ機構を示す説明図である。
【符号の説明】
１  車体
２  前輪
２１  スプロケット
３  原動機
４  減速機
４１  出力回転軸
４２  スプロケット
４３  チェン
４４  チェン
５  肥料ホッパー
５１  肥料撹拌棒
５１ａ  回転軸
５１ｂ  撹拌羽根
５２  ホッパ受け
５３  スプロケット
６  ハンドル
６１  シャッターレバー
７  肥料散布機構
７１  肥料流下口
７２  調節シャッター
７３  開閉シャッター
７４  下板
７５  肥料散布板
７６  ネジ
７７  バネ
７８  ワイヤ
【図１】
0003678840.tif 000002
【図２】
0003678840.tif 000003
【図３】
0003678840.tif 000004